(57)【要約】      （修正有）【課題】複数の双方向ワイヤレス電力伝送装置による直列／並列ワイヤレス電力伝送が可能な双方向ワイヤレス電力伝送装置を提供する。【解決手段】双方向ワイヤレス電力伝送装置は、第一伝送手段１０と、第二伝送手段２０と、第一伝送手段に電気的に接続された第一信号端子１０１、第二伝送手段に電気的に接続された第二信号端子２０１、及び電源入力端子３０３が設けられているセレクター３０と、セレクターの電源入力端子に電気的に接続され、さらに、第一電力伝送端子１０２及び第二電力伝送端子２０２にそれぞれ電気的に接続されている給電手段４０と、第一伝送手段、第二伝送手段、セレクター及び給電手段が設けられている回路基板５０と、を含む。第一伝送手段と第二伝送手段は、送信機及び受信機をそれぞれ含み、それらの使用状態を切り替ることで、双方向ワイヤレス電力伝送を行う。【選択図】図２
0003186033.tif 000002
【実用新案登録請求の範囲】
【請求項１】
第一信号制御端子及び第一電力伝送端子が設けられている第一伝送手段と、
第二信号制御端子及び第二電力伝送端子が設けられている第二伝送手段と、
前記第一伝送手段に電気的に接続された第一信号端子、前記第二伝送手段に電気的に接続された第二信号端子、及び電源入力端子が設けられているセレクターと、
前記セレクターの電源入力端子に電気的に接続され、さらに、前記第一電力伝送端子及び前記第二電力伝送端子にそれぞれ電気的に接続されている給電手段と、
前記第一伝送手段、前記第二伝送手段、前記セレクター及び前記給電手段が設けられている回路基板と、を含む双方向ワイヤレス電力伝送装置。
【請求項２】
前記第一伝送手段は、送信機と受信機とを含み、前記送信機は、前記給電手段に電気的に接続されて電力をワイヤレス送電するために用いられ、前記受信機は、前記給電手段に電気的に接続されて電力をワイヤレス受電するために用いられ、さらに、前記第一伝送手段の第一信号制御端子が前記セレクターに電気的に接続され、前記セレクターは、前記第一伝送手段を前記送信機または前記受信機に切り替えることを特徴とする請求項１記載の双方向ワイヤレス電力伝送装置。
【請求項３】
前記第二伝送手段は、送信機と受信機とを含み、前記送信機は、前記給電手段に電気的に接続されて電力をワイヤレス送電するために用いられ、前記受信機は、前記給電手段に電気的に接続されて電力をワイヤレス受電するために用いられ、さらに、前記第二伝送手段の第二信号制御端子が前記セレクターに電気的に接続され、前記セレクターは、前記第二伝送手段を前記送信機または前記受信機に切り替えることを特徴とする請求項１記載の双方向ワイヤレス電力伝送装置。
【請求項４】
前記給電手段は電池であることを特徴とする請求項１、２または３に記載の双方向ワイヤレス電力伝送装置。
【請求項５】
前記電池は超薄型電池であることを特徴とする請求項４記載の双方向ワイヤレス電力伝送装置。
【請求項６】
前記電池はフレキシブル電池であることを特徴とする請求項４記載の双方向ワイヤレス電力伝送装置。
【請求項７】
前記電池はニッケル・カドミウム電池であることを特徴とする請求項４記載の双方向ワイヤレス電力伝送装置。
【請求項８】
前記電池はニッケル・水素電池であることを特徴とする請求項４記載の双方向ワイヤレス電力伝送装置。
【請求項９】
前記電池はリチウムイオン電池であることを特徴とする請求項４記載の双方向ワイヤレス電力伝送装置。
【考案の詳細な説明】
【技術分野】
【０００１】
本考案は、双方向（送受信）ワイヤレス電力伝送が可能でありながら、複数の双方向ワイヤレス電力伝送装置による電気的に直列／並列接続されたワイヤレス電力伝送に達することができる双方向ワイヤレス電力伝送装置に関る。
【背景技術】
【０００２】
人々の生活水準の向上や時代の進歩に伴い、都会人のライフスタイルとして、一般に、いくつかの携帯装置（例えば、携帯電話やスマートフォン及びパネル型パソコンなど）が使用されることがあり、なおさら、携帯装置は、現代社会の人々の生活に不可欠なものとなってきている。
しかし、現在の携帯装置は、その機能が日進月歩である一方、電気消費量も高くなり、そのため、携帯装置の待機及び運用時間がますます重要視されている。
したがって、市場において携帯装置の充電に用いられる携帯型の電源が開発され、また、より便利な充電方式を備えるために、ワイヤレス充電装置が現れている。
従来のワイヤレス充電装置は、主に、単方向ワイヤレス電力伝送の方式でワイヤレス充電を行い、ワイヤレス充電装置に送信機を内蔵し、電力は送信機を介して遠隔の電子装置に伝送されて充電を行う。
上記のワイヤレス充電装置の欠点として、単方向ワイヤレス電力伝送であるが、双方向（送受信）ワイヤレス電力伝送の機能を同時に備えていないことにある。そのため、改善する余地がある。
【０００３】
本考案は以上の点に鑑み、鋭意研究や設計、組み立てを行い、双方向（送受信）ワイヤレス電力伝送が可能でありながら、ワイヤレス直列並列電力伝送の使用に達することが可能な双方向ワイヤレス電力伝送装置を提供することに期することが、本考案の創作動機である。
【考案の概要】
【考案が解決しようとする課題】
【０００４】
本考案は、双方向（送受信）ワイヤレス電力伝送が可能でありながら、複数の双方向ワイヤレス電力伝送装置による電気的に直列／並列接続されたワイヤレス電力伝送に達することができる双方向ワイヤレス電力伝送装置を提供することを主な目的とする。
【課題を解決するための手段】
【０００５】
前記目的を達成するために、本考案に係る双方向ワイヤレス電力伝送装置は、第一信号制御端子及び第一電力伝送端子が設けられている第一伝送手段と、第二信号制御端子及び第二電力伝送端子が設けられている第二伝送手段と、前記第一伝送手段に電気的に接続された第一信号端子、前記第二伝送手段に電気的に接続された第二信号端子、及び電源入力端子が設けられているセレクターと、前記セレクターの電源入力端子に電気的に接続され、さらに、前記第一電力伝送端子及び前記第二電力伝送端子にそれぞれ電気的に接続されている給電手段と、前記第一伝送手段、前記第二伝送手段、前記セレクター及び前記給電手段が設けられている回路基板と、を含む。
よって、双方向（送受信）ワイヤレス電力伝送が可能でありながら、複数の双方向ワイヤレス電力伝送装置による電気的に直列／並列接続されたワイヤレス電力伝送に達することができる。
【０００６】
本考案の特徴、特点および技術的内容をより深く理解するために、以下の本考案に係る詳細説明および添付図面を参照されたいが、前記添付図面は参考や説明のために供されるにすぎず、本考案を限定するものではない。
【図面の簡単な説明】
【０００７】
【図１】本考案を模式的に示すブロック図である。
【図２】本考案の第一使用状態を模式的に示すブロック図である。
【図３】本考案の第二使用状態を模式的に示すブロック図である。
【図４】本考案の第三使用状態を模式的に示すブロック図である。
【図５】本考案の第四使用状態を模式的に示すブロック図である。
【図６】本考案の第一実施例の無線電力伝送の使用を模式的に示すブロック図である。
【図７】本考案の第二実施例の無線電力伝送の使用を模式的に示すブロック図である。
【図８】本考案の第三実施例の無線電力伝送の使用を模式的に示すブロック図である。
【考案を実施するための形態】
【０００８】
図１は、本考案を模式的に示すブロック図である。
図１に示すように、双方向ワイヤレス電力伝送装置は、第一信号制御端子１０１及び第一電力伝送端子１０２が設けられている第一伝送手段１０と、第二信号制御端子２０１及び第二電力伝送端子２０２が設けられている第二伝送手段２０と、第一伝送手段１０の第一信号制御端子１０１に電気的に接続された第一信号端子３０１、第二伝送手段２０の第二信号制御端子２０１に電気的に接続された第二信号端子３０２、及び電源入力端子３０３が設けられているセレクター３０と、セレクター３０の電源入力端子３０３に電気的に接続され、さらに、第一電力伝送端子１０２及び第二電力伝送端子２０２にそれぞれ電気的に接続されている給電手段４０と、第一伝送手段１０、第二伝送手段２０、セレクター３０及び給電手段４０が設けられている回路基板５０と、を含む。
ここで、給電手段４０は電池であり、さらに、該電池は例えば、超薄型電池、フレキシブル電池、ニッケル・カドミウム電池、ニッケル・水素電池またはリチウムイオン電池であってよい。
給電手段４０は、第一伝送手段１０及び第二伝送手段２０に電力を付与する。第一伝送手段１０及び第二伝送手段２０により、双方向（送受信）ワイヤレス電力伝送が可能でありながら、複数の双方向ワイヤレス電力伝送装置による電気的に直列／並列接続されたワイヤレス電力伝送に達することができる。
【０００９】
図２〜図５は、本考案の第一〜第四使用状態を模式的に示すブロック図である。図１に合わせて図２〜図５を参照し、図２〜図５における符号の多くは図１と同じであるため、ここで繰り返し説明しない。
第一伝送手段１０は、送信機３１と受信機３２とを含み、送信機３１は、給電手段４０に電気的に接続されて電力をワイヤレス送電するために用いられ、受信機３２は、給電手段４０に電気的に接続されて電力をワイヤレス受電するために用いられ、さらに、第一伝送手段１０の第一信号制御端子１０１がセレクター３０に電気的に接続され、セレクター３０は、第一伝送手段１０を送信機３１または受信機３２の使用状態に切り替える。
第二伝送手段２０は、送信機３１と受信機３２とを含み、送信機３１は、給電手段４０に電気的に接続されて電力をワイヤレス送電するために用いられ、受信機３２は、給電手段４０に電気的に接続されて電力をワイヤレス受電するために用いられ、さらに、第二伝送手段２０の第二信号制御端子２０１がセレクター３０に電気的に接続され、セレクター３０は、第二伝送手段２０を送信機３１または受信機３２の使用状態に切り替える。
【００１０】
本考案の第一使用状態（図２参照）は、セレクター３０により第一伝送手段１０を送信機３１の使用状態に切り替え、第二伝送手段２０もセレクター３０により送信機３１の使用状態に切り替えられることによって、第一電力伝送装置１００（図２参照）を形成し、また、第一電力伝送装置１００の第一伝送手段１０及び第二伝送手段２０が給電手段４０にそれぞれ電気的に接続されることで、第一伝送手段１０及び第二伝送手段２０をそれぞれワイヤレス送信による電力伝送の使用状態にする。
【００１１】
本考案の第二使用状態（図３参照）では、セレクター３０により第一伝送手段１０を受信機３２の使用状態に切り替え、第二伝送手段２０もセレクター３０により受信機３２の使用状態に切り替えられることによって、第二電力伝送装置２００（図３参照）を形成し、また、第二電力伝送装置２００の第一伝送手段１０及び第二伝送手段２０が給電手段４０にそれぞれ電気的に接続されることで、第一伝送手段１０及び第二伝送手段２０をそれぞれワイヤレス受信による電力伝送の使用状態にする。
【００１２】
本考案の第三使用状態（図４参照）では、セレクター３０により第一伝送手段１０を送信機３１の使用状態に切り替え、第二伝送手段２０もセレクター３０により受信機３２の使用状態に切り替えられることによって、第三電力伝送装置３００（図４参照）を形成し、第三電力伝送装置３００の第一伝送手段１０及び第二伝送手段２０が給電手段４０にそれぞれ電気的に接続されることで、第一伝送手段１０及び第二伝送手段２０をそれぞれワイヤレス送受信による電力伝送の使用状態にする。
【００１３】
本考案の第四使用状態（図５参照）では、セレクター３０により第一伝送手段１０を受信機３２の使用状態に切り替え、第二伝送手段２０もセレクター３０により送信機３１の使用状態に切り替えられることによって、第四電力伝送装置４００（図５参照）を形成し、第四電力伝送装置４００の第一伝送手段１０及び第二伝送手段２０が給電手段４０にそれぞれ電気的に接続されることで、第一伝送手段１０及び第二伝送手段２０をそれぞれワイヤレス送受信による電力伝送の使用状態にする。
【００１４】
図６は、本考案の第一実施例の無線電力伝送の使用を模式的に示すブロック図である。図２、図３に合わせて図６を参照し、図２、図３における符号の多くは図６と同じであるため、ここで繰り返し説明しない。
第一電力伝送装置１００（図２参照）と第二電力伝送装置２００（図３参照）とは、ワイヤレスで電気的に直列／並列されており、第一電力伝送装置１００は、第一伝送手段１０及び第二伝送手段２０をそれぞれワイヤレス送信による電力伝送の使用状態にし、第二電力伝送装置２００は、第一伝送手段１０及び第二伝送手段２０をそれぞれワイヤレス受信による電力伝送の使用状態にする。よって、第一電力伝送装置１００は、複数の第二電力伝送装置２００に電力をワイヤレス送電し、複数の双方向ワイヤレス電力伝送装置による電気的に直列／並列接続されたワイヤレス電力伝送に達する。
【００１５】
図７は、本考案の第二実施例の無線電力伝送の使用を模式的に示すブロック図である。図２、図３に合わせて図７を参照し、図２、図３における符号の多くは図７と同じであるため、ここで繰り返し説明しない。
第一電力伝送装置１００（図２参照）と第二電力伝送装置２００（図３参照）とは、ワイヤレスで電気的に直列／並列されており、第一電力伝送装置１００は、第一伝送手段１０及び第二伝送手段２０をそれぞれワイヤレス送信による電力伝送の使用状態にし、第二電力伝送装置２００は、第一伝送手段１０及び第二伝送手段２０をそれぞれワイヤレス受信による電力伝送の使用状態にする。よって、複数の第一電力伝送装置１００はワイヤレス送信で電力を第二電力伝送装置２００に伝送し、第二電力伝送装置２００は電力をワイヤレス受信し、複数の双方向ワイヤレス電力伝送装置による電気的に直列／並列接続されたワイヤレス電力伝送に達する。
【００１６】
図８は、本考案の第三実施例の無線電力伝送の使用を模式的に示すブロック図である。図５に合わせて図８を参照し、図５における符号の多くは図８と同じであるため、ここで繰り返し説明しない。
図８に示す複数の第四電力伝送装置４００（図５参照）は、ワイヤレスで電気的に直列／並列されており、かつ、複数の第四電力伝送装置４００は、第一伝送手段１０及び第二伝送手段２０をそれぞれワイヤレス送受信による電力伝送の使用状態にする。よって、複数の第四電力伝送装置４００は、電気的に直列／並列接続されたワイヤレス電力伝送を行うとともに、双方向ワイヤレス電力伝送を行う。
【００１７】
本考案の特長として、
１．第一伝送手段と第二伝送手段とは、送信機及び受信機をそれぞれ含み、また、第一伝送手段と第二伝送手段とは、それぞれ送信機または受信機の使用状態に切り替えられることで、双方向（送受信）ワイヤレス電力伝送を行うことができる。
２．複数の双方向ワイヤレス電力装置を電気的に直列／並列接続してワイヤレス電力伝送を行うとともに、双方向（送受信）ワイヤレス電力伝送を行うことができる。
【００１８】
以上は単に本考案の好ましい実施例にすぎず、本考案の請求の範囲を限定するものではなく、いずれの本考案の明細書および図面の内容によって実施可能な等価の変形が本考案の主張範囲内に含まれるべきことは言うまでもない。
【符号の説明】
【００１９】
１０      第一伝送手段
１０１    第一信号制御端子
１０２    第一電力伝送端子
２０      第二伝送手段
２０１    第二信号制御端子
２０２    第二電力伝送端子
３０      セレクター
３０１    第一信号端子
３０２    第二信号端子
３０３    電源入力端
４０      給電手段
５０      回路基板
３１      送信機
３２      受信機
１００    第一電力伝送装置
２００    第二電力伝送装置
３００    第三電力伝送装置
４００    第四電力伝送装置
【図１】
0003186033.tif 000003
【図２】
0003186033.tif 000004
【図３】
0003186033.tif 000005
【図４】
0003186033.tif 000006
【図５】
0003186033.tif 000007
【図６】
0003186033.tif 000008
【図７】
0003186033.tif 000009
【図８】
0003186033.tif 000010